(57)【特許請求の範囲】
【請求項１】
飲料液瓶の瓶口部に圧入固定される栓体に備え付けた注入管を介して前記飲料液瓶内にガスを導入し、該ガスの圧力により前記飲料液瓶内の液体を前記栓体に備え付けた注出管を介して外部に吐出する飲料液サーバであって、
複数本の前記飲料液瓶を収納するスペースを有する冷却室を設け、
前記栓体が外れないように、飲料液瓶の瓶口部に固定用アダプタが取り付けられており、
該固定用アダプタは、長溝を有する上壁部と切欠きが形成された側壁部とを有し、長溝に注入管及び注出管を挿入した状態で、前記側壁部に形成された内溝が瓶口部に形成された円周突起に嵌め込まれて、上壁部の下面で栓体を下方へ押圧するものであることを特徴とする飲料液サーバ。
【請求項２】
前記冷却室に前記複数本の飲料液瓶を収納した場合に、該複数本の飲料液瓶のそれぞれに備え付けた前記注入管は、共通のガス源に接続されることを特徴とする、請求項１記載の飲料液サーバ。
【請求項３】
前記注出管を介して注出される前記飲料液は、前記注出管毎に対応して設けられた複数個のタップから、個別に吐出されることを特徴とする、請求項１記載の飲料液サーバ。
【請求項４】
前記固定用アダプタの上壁部の長溝は、大径部を有する鍵穴状に形成されていることを特徴とする、請求項１記載の飲料液サーバ。
【請求項５】
前記固定用アダプタを回動することで、前記飲料液瓶の瓶口部への固定用アダプタの取り付け状態が、ロック状態にされることを特徴とする、請求項１記載の飲料液サーバ。
【請求項６】
前記ガスとして窒素ガスが使用されることを特徴とする、請求項１記載の飲料液サーバ。
【請求項７】
前記固定用アダプタが合成樹脂材よりなることを特徴とする、請求項１記載の飲料液サーバ。
【発明の詳細な説明】
【技術分野】
【０００１】
本発明は、飲食店内やガーデン等において来客者等に飲料液を提供するための飲料液サーバに関する。
より詳しくは、複数本のワイン等（同種のワイン等を含む）を簡易な構成により均一に且つ多量に冷却することができる飲料液サーバに関する。
【背景技術】
【０００２】
従来、多数本の酒瓶を瓶毎に独立させて冷却室に収容した状態で冷却制御することが行われている（例えば、特許文献１の段落００５８、図１１参照）。
【０００３】
このシングルタイプの酒サーバでは、各酒瓶への窒素ガスの注入は、各酒瓶毎に挿入された注入管を基管に連通させることにより、一個のボンベを供給源として行われている。
【特許文献１】特開２００２−１９８９４号公報
【発明の開示】
【発明が解決しようとする課題】
【０００４】
しかしながら、上述した飲料液サーバでは、各酒瓶は別個の冷却室に収容されているため幾つかの問題がある。
すなわち、飲料店（例えばワインガーデン等）で酒類を来客者に供給する場合、多数の冷却室が存在することとなり、設備設置スペースが増加する上、各冷却室の保守管理に手間がかかる。
【０００５】
また、かかる冷却室は、独立して大気雰囲気にあるために、各冷却室の温度が必ずしも均一にならないし、また冷却室の熱容量が小さいために冷却室内で温度変化が起き易い。
【０００６】
更に、酒瓶の瓶口部の一部が外気に晒されているために冷却効率が悪く、しかも瓶口部に取り付けられた栓が外れ易い。
【０００７】
本発明は、このような従来の背景をもとに考え出されたものである。
【０００８】
すなわち、本発明の目的は、複数本の飲料液瓶を均一に且つ多量に冷却することができ、しかも簡単な構造の飲料液サーバを提供することである。
また、注入管及び注出管が内挿固定された栓体を飲料液瓶の瓶口部に確実に固定しておくことができる固定用アダプタを提供することである。
【課題を解決するための手段】
【０００９】
かくして、本発明者は、このような課題背景に対して鋭意研究を重ねた結果、比較的大きな収容スペースを有する一機の冷却室に複数本の飲料液瓶を収容するマルチタイプの飲料液サーバとすることにより、飲料液サーバの従来の問題点を解決することができることを見出し、この知見に基づいて本発明を完成させたものである。
また、瓶口部に切欠きを有する固定用アダプタの栓体を包むように取り付けることにより、栓体を瓶口部へ確実に固定することができることを見出し、この知見に基づいて本発明を完成させたものである。
【００１０】
すなわち、本発明は、（１）、飲料液瓶の瓶口部に圧入固定される栓体に備え付けた注入管を介して前記飲料液瓶内にガスを導入し、該ガスの圧力により前記飲料液瓶内の液体を前記栓体に備え付けた注出管を介して外部に吐出する飲料液サーバであって、複数本の前記飲料液瓶を収納するスペースを有する冷却室を設け、前記栓体が外れないように、飲料液瓶の瓶口部に固定用アダプタが取り付けられており、該固定用アダプタは、長溝を有する上壁部と切欠きが形成された側壁部とを有し、長溝に注入管及び注出管を挿入した状態で、前記側壁部に形成された内溝が瓶口部に形成された円周突起に嵌め込まれて、上壁部の下面で栓体を下方へ押圧するものである飲料液サーバに存する。
【００１１】
また、本発明は、（２）、前記冷却室に前記複数本の飲料液瓶を収納した場合に、該複数本の飲料液瓶のそれぞれに備え付けた前記注入管は共通のガス源に接続される上記（１）に記載の飲料液サーバに存する。
【００１２】
また、本発明は、（３）、前記注出管を介して吐出される前記飲料液は、前記注出管毎に対応して設けられた複数個のタップから、個別に吐出される上記（１）に記載の飲料液サーバに存する。          
【００１５】
また、本発明は、（４）、前記固定用アダプタの上壁部の長溝は、大径部を有する鍵穴状に形成されている上記（１）記載の飲料液サーバに存する。
【００１６】
また、本発明は、（５）、前記固定用アダプタを回動することで、前記飲料液瓶の瓶口部への固定用アダプタの取り付け状態が、ロック状態にされる上記（１）記載の飲料液サーバに存する。
【００１７】
また、本発明は、（６）、前記ガスとして窒素ガスが使用される上記（１）記載の飲料液サーバに存する。
【００１９】
また、本発明は、（７）、前記固定用アダプタが合成樹脂材よりなる上記（１）記載の飲料液サーバに存する。
【００２０】
なお、本発明の目的に沿ったものであれば、上記（１）から（７）を適宜組み合わせた構成も採用可能である。
【発明の効果】
【００２１】
本発明によれば、複数本の飲料液瓶を一緒に冷却するために、複数本の飲料液瓶を収納するスペースを有する冷却室（マルチタイプの冷却室）を設けたので、サーバとして構造が簡単となり、飲料液を多量且つ均一に冷却することができる。
また、本発明によれば、固定用アダプタを使って瓶口部から栓体が外れないように確実に固定することができる。
【００２２】
また固定用アダプタを回動させることにより、ロック状態となり固定用アダプタ自体が不用意に瓶口部から外れることがない。
すなわち、固定用アダプタから栓体が径方向に抜けようとしても注入管及び注出管が大径部に引掛かり抜け落ち難くなる。
【発明を実施するための最良の形態】
【００２３】
以下、本発明を実施するための最良の形態を、図面を用いて説明する。
本発明の飲料液サーバは、飲料液瓶の瓶口部（容器口部ともいう）に圧入される栓体に備えつけた注入管を介して飲料液瓶内にガスを導入し、該ガスの圧力により飲料液瓶内の液体を栓体に備え付けた注出管を介して吐出する飲料液サーバである。
本発明では、飲料液としては、ワイン、焼酎、日本酒等の酒類やジュース等が適用される。
飲料液瓶内に導入されるガスとしては、ワイン等の飲料液の酸化又は混入を防止する作用が有する窒素等を用いるのがより好ましい。
【００２４】
飲料液サーバは、例えば図１に示すように、主としてワイン瓶Ｇを収容する冷却室１と、冷却室１内へ冷媒を送り込むための冷却装置部２とからなるサーバ本体３を有しており、冷却室１内に収容されたワイン瓶Ｇへガス源であるガスボンベ４から飲料液注出用のガスが供給される。
冷却室１は、複数本のワイン瓶Ｇ、例えば図１では五本のワイン瓶Ｇを収容するスペースを有する。
このスペースの形状は、ワイン瓶Ｇを単に一列に並べ、あるいは多列に並べた場合を想定して自由に設定できる。
【００２５】
冷却室１の扉（又は戸）Ｆに透明の窓ガラスを設けると、冷却室１内部を視認することができてワインの減り具合が分かる。
冷却装置部２は、図示しない冷却のためのコンプレッサ、放熱器、フアン、スリット２ａ等を有するものである。
【００２６】
一方、冷却室１には、冷却装置部２からの冷媒が流通する冷却蛇管Ｊ（図２記載）が設けられ、この冷却蛇管Ｊにより冷却室１内の熱を吸熱することにより冷却室１内の温度は下げられる。
【００２７】
さてガスボンベ４からワイン瓶Ｇにガスを送り込み、ワインタップ５からワインを注出するシステムの構造を、例えば、図３に示す。
すなわち、ガスボンベ４内の高圧の窒素ガスがガスコック４ａを開くことによりガスホース６を介してガス分配器７に送られる。
図ではガス分配器７にはワイン瓶Ｇが五本のガスホースＨｉｎを介して連結されている（図中、ガスホースＨｉｎは一本のみ図示）。
【００２８】
ワイン瓶Ｇの瓶口部Ｇａ（図６参照）には、注入管Ｔｉｎ及び注出管Ｔｏｕｔを挿着した栓体１１が圧入固定されている。
なお、この栓体１１は、最初からワイン瓶Ｇに装着されているコルク栓とは異なった別の栓を使う。
注入管ＴｉｎにはガスホースＨｉｎが連結されており、また注出管ＴｏｕｔにはワインホースＨｏｕｔが連結されている。
この注入管Ｔｉｎ及び注出管Ｔｏｕｔの材質としては、例えば、錆び難いステンレス鋼等を用いることができる。
【００２９】
また、ガス分配管７から注入管Ｔｉｎに至る流路には、コック９が設けられており、このコック９の切換えによって、必要とする特定のワイン瓶Ｇのみにガス圧を加えて吐出することができる。
【００３０】
このようなガス分配器７を配置することにより、各ワイン瓶Ｇに備え付けたガスホースＨｉｎは共通のガス源（ガスボンベ４）に接続することもできて効率的である。
【００３１】
また、ガス分配器７を介してガスホースＨｉｎからのガス圧を受けると、ワイン瓶内のワインは注出管Ｔｏｕｔ及びワインホースＨｏｕｔを通ってワインタップ５から吐出される。
【００３２】
ワイン瓶Ｇの瓶口部Ｇａに圧入固定された栓体１１（図６参照）は、後述するように、例えば合成樹脂材からなる固定用アダプタ１０を用いて固定することができる。
そして、栓体１１はこのアダプタ１０により瓶口部Ｇａに固定されることで、外れることがない。
【００３３】
ところで固定用アダプタ１０は、図４及び図５に示すように、上壁部１０ａと側壁部１０ｂとよりなり略円筒形状を有している
上壁部１０ａには大径部を有する鍵穴状の長溝１０ａ１が形成され、側壁部１０ｂには高さ方向に切り欠かれた切欠き１０ｂ１が形成されている。
【００３４】
固定用アダプタ１０は、注入管Ｔｉｎ及び注出管Ｔｏｕｔを備えた栓体１１を包むようにワイン瓶Ｇの瓶口部Ｇａに取り付けられる。
この時、注入管Ｔｉｎ及び注出管Ｔｏｕｔは長溝１０ａ１に挿入された状態となっている（図７参照）。
固定用アダプタ１０の長溝１０ａ１の方向を注入管Ｔｉｎ及び注出管Ｔｏｕｔの並び方向に合わせて挿入することで固定用アダプタ１０は簡単に取り付けられる。
【００３５】
いま、瓶口部Ｇａに対して側方から固定用アダプタ１０を嵌め込むと、固定用アダプタ１０は、多少、切欠き１０ｂ１が開くように弾性変形し、図７に示すように栓体１１と瓶口部Ｇａを包むように嵌め込まれる。
この場合、瓶口部Ｇａの円周突起Ｇａ１と固定用アダプタ１０の内溝１０ｂ２とが嵌まり込み上壁部１０ａで栓体１１を下方に押圧する状態となる。
この場合、固定用アダプタ１０を取付け方向と反対方向に引くと固定用アダプタ１０は弾性変形しながら拡径し瓶口部Ｇａから外れてしまう。
【００３６】
そこで、それを防止するための手順としては、固定用アダプタ１０を瓶口部Ｇａ周りで回転させ、図８に示すように、長溝１０ａ１を注入管Ｔｉｎ及び注出管Ｔｏｕｔの並び方向と垂直方向に位置させる。
【００３７】
これで固定用アダプタ１０を取り外そうとしても、注入管Ｔｉｎ及び注出管Ｔｏｕｔが長溝周囲の上壁部１０ａに引掛かり、固定用アダプタ自体も瓶口部Ｇａから外れるのが防止される。
【００３８】
固定用アダプタ１０を瓶口部Ｇａに取り付けるに当たっては、上述したように、長溝１０ａ１の長手方向に沿って注入管Ｔｉｎと注出管Ｔｏｕｔとが並ぶ向きにして挿入する〔図９(a)→(b)〕。
そして、一旦、挿入した後、固定用アダプタ１０を９０°程度回動するとロック状態となる〔図９(b)→(c)〕。
【００３９】
以上のような固定用アダプタ１０を瓶口部Ｇａに取り付け、栓体１１の抜けを防止する構造は、極めて利点が多い。
【００４０】
以上、本発明を説明してきたが、本発明は上述した実施形態にのみ限定されるものではなく、その本質を逸脱しない範囲で、他の種々の変形が可能であることはいうまでもない。
例えば、上述した実施形態では、固定用アダプタ１０の形状として略円筒状のものを図示したが、他の形状であっても良い。
例えば、固定用アダプタに瓶口部Ｇａを覆う円筒状の空間を形成しておけば、固定用アダプタの外形は直方体状であっても良い。
【００４１】
また、上述した実施形態では、固定用アダプタ１０の材質を合成樹脂材とした例について説明したが、ゴム等の弾性を有するものであれば他の材質であっても良い。
更に、上述した実施形態では、飲料液瓶としてワイン瓶Ｇを適用した例について説明したが、酒瓶、清涼飲料水瓶その他の飲料液瓶であっても当然良い。
【図面の簡単な説明】
【００４２】
【図１】図１は、本発明の飲料液サーバの一実施形態を示す説明図である。
【図２】図２は、図１のＡ−Ａ線に断面図である。
【図３】図３は、図１の飲料液サーバの主なシステム構成を示す説明図である。
【図４】図４は、本発明の固定用アダプタの一実施形態を示す説明図である。
【図５】図５は、図４の固定用アダプタを示す図であり、（ａ）は平面図、（ｂ）は正面図、また（ｃ）は側面図である。
【図６】図６は、瓶口部に栓体を圧入固定した状態を示す説明図である。
【図７】図７は、瓶口部に固定用アダプタを取付けた状態を示す説明図である。
【図８】図８は、固定用アダプタを回転させたロック状態を示す説明図である。
【図９】図９は、固定用アダプタの取り付け手順を示す説明図である。
【符号の説明】
【００４３】
１  冷却室
２  冷却装置部
２ａ  スリット
３  サーバ本体
４  ガスボンベ
４ａ  ガスコック
５  タップ（ワイン）
６  ガスホース
７  ガス分配器
９  コック
１０  固定用アダプタ
１０ａ  上壁部
１０ａ１  長溝
１０ｂ  側壁部
１０ｂ１  切欠き
１０ｂ２  内溝
１１  栓体
Ｆ  扉（又は戸）
Ｇ  ワイン瓶
Ｇａ  瓶口部
Ｇａ１  円周突起
Ｊ  冷却蛇管
Ｈｉｎ，Ｈｏｕｔ  ガスホース、ワインホース
Ｔｉｎ  注入管
Ｔｏｕｔ  注出管
【図１】
0004546336.tif 000002
【図２】
0004546336.tif 000003
【図３】
0004546336.tif 000004
【図４】
0004546336.tif 000005
【図５】
0004546336.tif 000006
【図６】
0004546336.tif 000007
【図７】
0004546336.tif 000008
【図８】
0004546336.tif 000009
【図９】
0004546336.tif 000010